【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
Ｓｃ、Ｙ、ランタニド、アクチニド、Ｚｒ、Ｈｆ、Ｍｎ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、ＡｕおよびＣｄから選択された、元素の周期律表の副族の金属の金属酸化物粒子を、一般式（Ｉ）
Ｒ1n−Ｓｉ（ＯＲ2）4-n  （Ｉ）
｛式中、Ｒ1、Ｒ2およびｎは、次の意味を有する：
Ｒ1は、互いに独立して、水素、直鎖状または分枝鎖状の、Ｃ1〜Ｃ30アルキル、直鎖状または分枝鎖状の、任意に官能化されたＣ2〜Ｃ30アルケニル、直鎖状または分枝鎖状の、任意に官能化されたＣ2〜Ｃ30アルキニル、任意に官能化されたＣ3〜Ｃ20シクロアルキル、任意に官能化されたＣ3〜Ｃ20シクロアルケニル、任意に官能化されたＣ1〜Ｃ20ヘテロアルキル、任意に官能化されたＣ5〜Ｃ22アリール、任意に官能化されたＣ6〜Ｃ23アルキルアリール、任意に官能化されたＣ6〜Ｃ23アリールアルキル、任意に官能化されたＣ5〜Ｃ22ヘテロアリールを意味し、
Ｒ2は、互いに独立して、水素、直鎖状または分枝鎖状の、任意に官能化されたＣ1〜Ｃ30アルキル、直鎖状または分枝鎖状の、任意に官能化されたＣ2〜Ｃ30アルケニル、直鎖状または分枝鎖状の、任意に官能化されたＣ2〜Ｃ30アルキニル、任意に官能化されたＣ3〜Ｃ20シクロアルキル、任意に官能化されたＣ3〜Ｃ20シクロアルケニル、任意に官能化されたＣ1〜Ｃ20ヘテロアルキル、任意に官能化されたＣ5〜Ｃ22アリール、任意に官能化されたＣ6〜Ｃ23アルキルアリール、任意に官能化されたＣ6〜Ｃ23アリールアルキル、任意に官能化されたＣ5〜Ｃ22ヘテロアリール、
ＮＲ14+、その際にＲ1は、互いに独立して、上記の意味を有することができるものとし、
一般式１／（ｐ−ｘ*ｙ）Ｍp+Ｘx-y〔式中、Ｍは、元素の周期律表の主族および副族の金属からなる群から選択された金属原子を意味し、Ｘは、アニオンを意味し、ｐは、金属原子Ｍの酸化数を意味し、ｘは、１、２または３からの整数を意味し、およびｙは、０、１または２からの整数を意味する〕の原子団、
および／または
一般式（ＩＩａ）
−ＳｉＲ1m（ＯＲ2）3-m  （ＩＩａ）
〔式中、Ｒ1およびＲ2は、互いに独立して、上記の意味を有し、ｍは、互いに独立して、０、１、２または３を意味することができる〕の基を意味し、
ｎは、１、２または３を意味する｝の少なくとも１つの化合物と反応させ、および同じ工程または別の工程でＣＯ2と接触させることによって得られる、表面で変性された粒子、
および少なくとも１つの溶剤、少なくとも１つの界面活性剤またはその混合物を含有する安定した混合物であって、
一般式（Ｉ）の化合物中、または一般式（ＩＩａ）の基中で、少なくとも１個の基Ｒ2は、ＮＲ14+であるかまたは一般式１／（ｐ−ｘ*ｙ）Ｍp+Ｘx-yの原子団であり、ここで、Ｒ1、ｐ、ｘ、ｙ、ＭおよびＸに関して上記の意味を有することを特徴とする、前記混合物。
【請求項２】
Ｍが元素の周期律表の第１族、第２族または第１３族から選択されている（ＩＵＰＡＣ命名法）ことを特徴とする、請求項１記載の混合物。
【請求項３】
溶剤対変性された粒子の質量比率が５００を上回ることを特徴とする、請求項１または２記載の混合物。
【請求項４】
一般式（Ｉ）の化合物中で、ｎは１または２、有利に１であることを特徴とする、請求項１から３までのいずれか１項に記載の混合物。
【請求項５】
一般式（Ｉ）の化合物中で、または一般式（ＩＩａ）の基中で、少なくとも１つのＲ2は、互いに独立して、メチルまたはエチルであることを特徴とする、請求項１から４までのいずれか１項に記載の混合物。
【請求項６】
一般式（Ｉ）の化合物中で、または一般式（ＩＩａ）の基中で、少なくとも１つのＲ2は、互いに独立して、一般式１／（ｐ−ｘ*ｙ）Ｍp+Ｘx-yの原子団であり、ここで、ｐが１であり、ｙが０であり、かつＭがＮａおよび／またはＫであることを特徴とする、請求項１から５までのいずれか１項に記載の混合物。
【請求項７】
少なくとも１つの溶剤は、芳香族炭化水素、アルコール、エーテル、環式エーテル、エステル、環式エステル、アルカン、シクロアルカン、オレフィン、シクロオレフィン、水およびこれらの混合物からなる群から選択されていることを特徴とする、請求項１から６までのいずれか１項に記載の混合物。
【請求項８】
少なくとも１つの界面活性剤は、非イオン性界面活性剤、アニオン性界面活性剤、カチオン性界面活性剤または両性イオン性界面活性剤およびこれらの混合物からなる群から選択されていることを特徴とする、請求項１から７までのいずれか１項に記載の混合物。
【請求項９】
使用される金属酸化物は、Ｍｎ、Ｆｅ、Ｃｏ、Ｎｉ、Ｃｕからなる群から選択される金属酸化物、これらの組合せおよび前記金属と少なくとも１つのアルカリ土類金属との混合酸化物であることを特徴とする、請求項１から８までのいずれか１項に記載の混合物。
【請求項１０】
請求項１に規定された、表面で変性された粒子を製造する方法であって、変性すべき金属酸化物粒子を請求項１に規定された一般式（Ｉ）の化合物と接触させ、および同じ工程または別の工程でＣＯ2と接触させることによる、前記方法。
【請求項１１】
請求項１に規定された、表面で変性された粒子を少なくとも１つの溶剤で処理する方法であって、溶剤対変性された粒子の質量比率が５００を上回ることを特徴とする、前記方法。
【請求項１２】
変性された粒子が少なくとも１つの溶剤と接触されている系中での、請求項１に規定された、表面で変性された粒子の使用方法であって、溶剤対変性された粒子の質量比率が５００を上回ることを特徴とする、前記使用方法。
【請求項１３】
凝集／解凝集サイクルにおける、請求項１に規定された、表面で変性された粒子の使用方法。
【請求項１４】
凝集／解凝集サイクルが、化学的、物理的または生物学的な試験方法または分離方法、汚染された土壌の浄化、水の浄化、電気的廃棄物のリサイクルまたは重力による分離であることを特徴とする、請求項１３記載の使用方法。
【手続補正２】
【補正対象書類名】明細書
【補正対象項目名】０００１
【補正方法】変更
【補正の内容】
【０００１】
本発明は、金属酸化物粒子または半金属酸化物粒子と、少なくとも１個の金属オキシ基および任意にさらなる単数もしくは複数のアルコキシ基および／またはヒドロキシ基を有するケイ素含有化合物から選択された、少なくとも１つの化合物との反応によって得られる、表面で変性された粒子、および少なくとも１つの溶剤、少なくとも１つの界面活性剤またはその混合物を含有する、安定した混合物、この安定した混合物の製造法、前記粒子が少なくとも１つの溶剤と接触される系中での前記粒子の使用方法、その際に溶剤対変性された粒子の質量比率は、５００を上回るものとし、ならびに凝集／解凝集サイクルにおける前記粒子の使用方法に関する。
【手続補正３】
【補正対象書類名】明細書
【補正対象項目名】０１０７
【補正方法】変更
【補正の内容】
【０１０７】
また、本発明は、変性された粒子が少なくとも１つの溶剤と接触される系中での、本発明による、表面で変性された粒子の使用方法に関し、その際に溶剤対変性された粒子の質量比率は、５００を上回る。
【手続補正４】
【補正対象書類名】明細書
【補正対象項目名】０１１０
【補正方法】変更
【補正の内容】
【０１１０】
前記の本発明による使用方法の場合、本発明による、表面で変性された粒子は、比較的大量の溶剤と接触される。前記接触が行なわれうる、相応する本発明による系は、例えば、本発明による、表面で変性された粒子を、例えば連続的方法でさらなる物質、粒子、材料等と接触させる流動系、例えば溶液または分散液中でさらなる物質、粒子、材料等で凝集させる連続的方法である。また、本発明による使用方法は、本発明により表面で変性された粒子およびさらなる物質、粒子または材料から凝集塊を解凝集すること、または表面で変性された粒子それ自体の凝集塊を、例えば同様に流動系中で解凝集することに関する。
【手続補正５】
【補正対象書類名】明細書
【補正対象項目名】０１１１
【補正方法】変更
【補正の内容】
【０１１１】
また、本発明は、凝集／解凝集サイクル中における、本発明による、表面で変性された粒子、殊に磁性粒子の使用方法に関する。
【手続補正６】
【補正対象書類名】明細書
【補正対象項目名】０１１２
【補正方法】変更
【補正の内容】
【０１１２】
この使用方法の場合も、表面で変性された粒子および溶剤には、本発明による混合物に関して述べたことが当てはまる。
【手続補正７】
【補正対象書類名】明細書
【補正対象項目名】０１１８
【補正方法】変更
【補正の内容】
【０１１８】
従って、本発明は、有利に本発明による使用方法にも関し、その際に凝集／解凝集サイクルは、化学的、物理的または生物学的な試験方法または分離方法、水の浄化、汚染された、例えば重金属で負荷された土壌の浄化、電気的廃棄物のリサイクルまたは重力による分離である。